(57)【要約】【課題】ジャギーを低減し、高精細な画像を表示または撮像することができる映像装置を提供する。【解決手段】二次元状に配置された複数の画素１を備える映像装置であって、複数の画素１のそれぞれは、当該画素１の一部に受光または発光を行う有効領域２を含み、有効領域２は、当該有効領域２を含む画素１内での予め定められた複数の位置のいずれかにランダムに配置され、有効領域２を含む画素１の面積に対する当該有効領域２の面積の比率である開口率は、４０〜７０％である。【選択図】図３
2012090015.tif 000002
【特許請求の範囲】
【請求項１】
二次元状に配置された複数の画素を備える映像装置であって、
前記複数の画素のそれぞれは、当該画素の一部に受光または発光を行う有効領域を含み、
前記有効領域は、当該有効領域を含む画素内での予め定められた複数の位置のいずれかにランダムに配置され、
前記有効領域を含む画素の面積に対する当該有効領域の面積の比率である開口率は、４０〜７０％である
映像装置。
【請求項２】
前記有効領域の中心位置と当該有効領域を含む画素の中心位置との縦方向及び横方向の距離は、それぞれ当該画素の縦方向及び横方向の幅の長さの５〜２０％である
請求項１に記載の映像装置。
【発明の詳細な説明】
【技術分野】
【０００１】
本発明は、映像装置に関し、特に、二次元状に配置された複数の画素を備える映像装置に関する。
【背景技術】
【０００２】
近年、映像情報を中心とするマルチメディア情報システムが、われわれの生活に深く根ざすようになってきた。映像情報を処理する映像装置が目指すところは、究極のところ、高精細でリアルな映像の撮像及び表示であると言うことができる。
【０００３】
これらの要求に対し、従来の映像装置の撮像系及び表示系は、その解像度を高める方向に発展してきた。なお、ここでの映像装置とは、撮像系の装置である撮像装置と表示系の装置である表示装置とを含むものを意味している。
【０００４】
ここで、従来の映像装置の撮像系と表示系の画素は、主に正方格子状に配置されている。図６は、従来の映像装置の画素の配置例を示す図である。具体的には、同図は、３×３の９つの画素１０１の配置例を示す図である。各画素１０１は、受光素子の受光部または発光素子の発光部が形成される有効領域１０２と、トランジスタ及び配線等の周辺回路が形成される周辺領域１０３とを含む。同図に示すように、従来の映像装置は、各画素内において有効領域１０２が同じ位置に配置された複数の画素１０１が規則的に配置されている。
【０００５】
また、画素を六角形格子状等に配置することで垂直方向の分解能を等価的に高める撮像素子もあるが、画素が規則的に配置されている点に変わりはない。例えば、特許文献１にハニカム状に画素を配置した固体撮像装置が記載されている。
【先行技術文献】
【特許文献】
【０００６】
【特許文献１】特開２００４−７９７４７号公報
【発明の概要】
【発明が解決しようとする課題】
【０００７】
しかしながら、従来の映像装置では、表示する画像のパターンによっては、垂直または水平方向に対して斜めの線のエッジ部分などに階段状のジャギーが生じる。
【０００８】
図７は、従来の映像装置が表示する画像の一例を示す図である。同図に示すように、画素配置に平行な水平線及び垂直線は完全に直線となる。一方、斜め線は正方格子の近似配置によって、ジャギーのある図形となる。特に直線の傾きが小さい場合には、ジャギーの間隔が広い、すなわちジャギーの空間周波数が低くなり、われわれ人間の目には非常に目立って知覚される。なお、特許文献１に記載の固体撮像装置などのハニカム状に画素を配置した映像装置においても、格子状に画素を配置した場合と直線の方向は異なるが、ジャギーの目立つ直線が存在することになる。
【０００９】
このように、従来の映像装置では、特に直線などの図形表現において人間の目に目立って知覚されるジャギーが生じる。また、従来の映像装置において、画素数を増加させ高解像度化を行うことで、ジャギーの目立たない高精細な映像に近づけることができるが、このジャギーを根本的に解消することは不可能である。
【００１０】
そこで、本発明は、ジャギーを低減し、高精細な画像を表示または撮像することができる映像装置、表示装置及び撮像装置を提供することを目的とする。
【課題を解決するための手段】
【００１１】
上記目的を達成するために、本発明に係る映像装置は、二次元状に配置された複数の画素を備える映像装置であって、前記複数の画素のそれぞれは、当該画素の一部に受光または発光を行う有効領域を含み、前記有効領域は、当該有効領域を含む画素内での予め定められた複数の位置のいずれかにランダムに配置され、前記有効領域を含む画素の面積に対する当該有効領域の面積の比率である開口率は、４０〜７０％である。
【００１２】
これによれば、有効領域は、画素内での予め定められた複数の位置のいずれかにランダムに配置され、当該有効領域の面積は画素の面積の４０〜７０％である。つまり、有効領域を各画素内にランダムに配置することで、本発明に係る映像装置が表示する直線等において、傾きの変化の周波数成分の分布が従来と比べ均等になる。さらに、有効領域の面積を画素の面積の４０〜７０％とすることで、従来の映像装置で生じていたジャギーなどの傾きの変化が人間の目には知覚されにくくなる。よって、本発明に係る映像装置は、ジャギーを低減し、高精細な画像を表示または撮像することができる。また、本発明に係る映像装置は、所定の面積の有効領域をランダムに配置することで実現できるので、画素数を増加させることなく高精細な画像を表示または撮像することができる。
【００１３】
また、好ましくは、前記有効領域の中心位置と当該有効領域を含む画素の中心位置との縦方向及び横方向の距離は、それぞれ当該画素の縦方向及び横方向の幅の長さの５〜２０％である。
【００１４】
これによれば、有効領域は、画素の中心位置から縦方向及び横方向に、それぞれ画素の幅の５〜２０％離れた位置に配置される。つまり、この位置に有効領域を配置することにより、従来の映像装置で生じていたジャギーなどの傾きの変化が人間の目には知覚されにくくなる。よって、本発明に係る映像装置は、ジャギーを低減し、高精細な画像を表示または撮像することができる。
【００１５】
また、好ましくは、前記予め定められた複数の位置は、４以上の位置である。
【００１６】
これによれば、有効領域は、画素内での４以上の位置のうちのいずれかにランダムに配置される。つまり、有効領域の配置される位置を４以上とすることにより、従来の映像装置で生じていたジャギーなどの傾きの変化が人間の目には知覚されにくくなる。よって、本発明に係る映像装置は、ジャギーを低減し、高精細な画像を表示または撮像することができる。
【００１７】
また、本発明に係る表示装置は、二次元状に配置された複数の画素を備える表示装置であって、前記複数の画素のそれぞれは、当該画素の一部に発光を行う有効領域を含み、前記有効領域は、当該有効領域を含む画素内での予め定められた複数の位置のいずれかにランダムに配置され、前記有効領域を含む画素の面積に対する当該有効領域の面積の比率である開口率は、４０〜７０％である。
【００１８】
これによれば、有効領域は、画素内での予め定められた複数の位置のいずれかにランダムに配置され、当該有効領域の面積は画素の面積の４０〜７０％である。つまり、有効領域を各画素内にランダムに配置することで、本発明に係る表示装置が表示する直線等において、傾きの変化の周波数成分の分布が従来と比べ均等になる。さらに、有効領域の面積を画素の面積の４０〜７０％とすることで、従来の表示装置で生じていたジャギーなどの傾きの変化が人間の目には知覚されにくくなる。よって、本発明に係る表示装置は、ジャギーを低減し、高精細な画像を表示することができる。また、本発明に係る表示装置は、所定の面積の有効領域をランダムに配置することで実現できるので、画素数を増加させることなく高精細な画像を表示することができる。
【００１９】
また、好ましくは、前記有効領域が行う発光の輝度は、前記開口率が小さいほど大きい。
【００２０】
これによれば、有効領域からの光は、開口率が小さいほど明るい。つまり、開口率が小さいほど明るく発光させることで、従来の表示装置で生じていたジャギーなどの傾きの変化が人間の目には知覚されにくくなる。よって、本発明に係る表示装置は、ジャギーを低減し、高精細な画像を表示することができる。
【００２１】
また、本発明に係る撮像装置は、二次元状に配置された複数の画素を備える撮像装置であって、前記複数の画素のそれぞれは、当該画素の一部に受光を行う有効領域を含み、前記有効領域は、当該有効領域を含む画素内での予め定められた複数の位置のいずれかにランダムに配置され、前記有効領域を含む画素の面積に対する当該有効領域の面積の比率である開口率は、４０〜７０％である。
【００２２】
これによれば、有効領域は、画素内での予め定められた複数の位置のいずれかにランダムに配置され、当該有効領域の面積は画素の面積の４０〜７０％である。つまり、有効領域を各画素内にランダムに配置することで、本発明に係る撮像装置が撮像する直線等において、傾きの変化の周波数成分の分布が従来と比べ均等になる。さらに、有効領域の面積を画素の面積の４０〜７０％とすることで、従来の撮像装置で生じていたジャギーなどの傾きの変化が人間の目には知覚されにくくなる。よって、本発明に係る撮像装置は、ジャギーを低減し、高精細な画像を撮像することができる。また、本発明に係る撮像装置は、所定の面積の有効領域をランダムに配置することで実現できるので、画素数を増加させることなく高精細な画像を撮像することができる。
【００２３】
また、本発明に係る画素の配置方法は、二次元状に配置されそれぞれが受光または発光を行う有効領域を含む複数の画素を備える映像装置の画素の配置方法であって、前記有効領域を含む画素の面積に対する当該有効領域の面積の比率である開口率を、４０〜７０％の数値と決定し、前記有効領域の位置を、当該有効領域を含む画素内での予め定められた複数の配置位置からランダムに選択する。
【００２４】
これによれば、有効領域は、画素内での予め定められた複数の位置のいずれかにランダムに配置され、当該有効領域の面積は画素の面積の４０〜７０％である。つまり、有効領域を各画素内にランダムに配置することで、映像装置が表示する直線等において、傾きの変化の周波数成分の分布が従来と比べ均等になる。さらに、有効領域の面積を画素の面積の４０〜７０％とすることで、従来の映像装置で生じていたジャギーなどの傾きの変化が人間の目には知覚されにくくなる。よって、本発明に係る画素の配置方法は、ジャギーを低減し、高精細な画像を表示または撮像することができる。また、本発明に係る画素の配置方法は、画素数を増加させることなく高精細な画像を表示または撮像する映像装置を形成することができる。
【発明の効果】
【００２５】
本発明は、ジャギーを低減し、高精細な画像を表示または撮像することができる映像装置を提供することができる。
【図面の簡単な説明】
【００２６】
【図１】本実施の形態に係る映像装置が備える複数の画素の配置例を示す図である。
【図２】本実施の形態に係る有効領域の配置を説明する図である。
【図３】本実施の形態に係る有効領域の大きさ及び位置を説明する図である。
【図４】本実施の形態に係る映像装置が表示する画像と、従来の映像装置が表示する画像とを示す図である。
【図５】図４の一部分を拡大した図である。
【図６】従来の映像装置の画素の配置例を示す図である。
【図７】従来の映像装置の表示する画像の一例を示す図である。
【発明を実施するための形態】
【００２７】
以下、本発明に係る映像装置の実施の形態について、図面を参照しながら詳細に説明する。
【００２８】
まず、本実施の形態に係る映像装置の構成を説明する。
【００２９】
図１は、本実施の形態に係る映像装置が備える複数の画素の配置例を示す図である。具体的には、図１は、３×３の９つの画素１の配置例を示す図である。
【００３０】
同図に示すように、各画素１は、二次元状に規則的に配置される。具体的には、各画素１は、正方形状であり、正方格子状に配置されている。また、各画素１は、有効領域２と周辺領域３とを含む。ここで、画素とは、画素を構成する領域を意味している。
【００３１】
有効領域２は、受光を行う受光素子の受光部、または、発光を行う発光素子の発光部が形成される領域である。つまり、映像装置がディスプレイなどの表示装置の場合は、有効領域２は、発光を行う発光素子の発光部が形成される領域であり、映像装置がカメラなどの撮像装置の場合は、有効領域２は、受光を行う受光素子の受光部が形成される領域である。
【００３２】
また、有効領域２は、当該有効領域２を含む画素１内での予め定められた複数の位置のいずれかにランダムに配置されている。この有効領域２の詳細については、後述する。
【００３３】
周辺領域３は、トランジスタ及び配線等の周辺回路が形成される領域である。
【００３４】
なお、同図において正方形の画素１が格子状に配置されているが、画素１はハニカム状であってもよい。また、画素１の形状は、正方形に限定されるものではなく、長方形または多角形等であってもよい。
【００３５】
次に、この有効領域２について、詳細に説明する。
【００３６】
図２は、本実施の形態に係る有効領域２の配置を説明する図である。
【００３７】
図１に示した９つの画素１は、同図の（ａ）〜（ｄ）に示す４パターンの画素１のうちのいずれかがランダムに選択されて配置されたものである。すなわち、各画素１における有効領域２は、同図の（ａ）〜（ｄ）に示した画素１内での４つの位置のいずれかにランダムに配置されている。
【００３８】
具体的には、同図の（ａ）に示す画素１は、画素内の左上に有効領域２が配置されている。また、同図の（ｂ）に示す画素１は、画素内の右上に有効領域２が配置されている。また、同図の（ｃ）に示す画素１は、画素内の左下に有効領域２が配置されている。また、同図の（ｄ）に示す画素１は、画素内の右下に有効領域２が配置されている。
【００３９】
ここで、同図の（ａ）の有効領域２の位置と、同図の（ｂ）の有効領域２の位置とは、画素１の中心を通り画素１を縦方向に二等分する縦中心軸Ｐ１に対して線対称の関係にある。また、同図の（ａ）の有効領域２の位置と、同図の（ｃ）の有効領域２の位置とは、画素１の中心を通り画素１を横方向に二等分する横中心軸Ｐ２に対して線対称の関係にある。また、同図の（ｂ）の有効領域２の位置と、同図の（ｄ）の有効領域２の位置とは、横中心軸Ｐ２に対して線対称の関係にある。また、同図の（ｃ）の有効領域２の位置と、同図の（ｄ）の有効領域２の位置とは、縦中心軸Ｐ１に対して線対称の関係にある。
【００４０】
なお、有効領域２の位置は、同図の（ａ）〜（ｄ）に示したような、縦中心軸Ｐ１及び横中心軸Ｐ２に対して線対称の関係にある４つの配置に限定されず、任意の４つの位置であってもよい。また、有効領域２の配置は、４つの位置に限定されず、例えば同図の（ａ）及び（ｃ）に示された２つの位置などでもよいが、４以上の位置であることが好ましい。
【００４１】
有効領域２の配置を４以上の位置とする場合の例としては、同図の（ａ）〜（ｄ）に示す位置に加え、有効領域２の中心が画素１の中心となる位置と、有効領域２の中心が画素１の上方及び下方（横方向の位置は画素１の中心）となる位置と、有効領域２の中心が画素１の右方及び左方（縦方向の位置は画素１の中心）となる位置との９つの位置を用いてもよい。
【００４２】
ここで、図１に示す画素の有効領域に着目すると、疑似的に不規則に並んだ二次元配置となる。このような疑似的な不規則な有効領域の配置は、その空間スペクトルがホワイトノイズ状となる。また、このような疑似的な不規則な有効領域の配置は、人間の目の網膜の受光細胞の空間分布と似ているため、従来の映像装置において生じる方向特異性の問題（直線の傾きが小さい場合等にジャギーが目立つ問題）が解決され、高精細な映像の撮像及び表示に有効である。
【００４３】
次に、画素１内での有効領域２の大きさ及び位置について、詳細に説明する。
【００４４】
図３は、本実施の形態に係る有効領域２の大きさ及び位置を説明する図である。なお、同図では、図２の（ａ）に示された画素１内での有効領域２を示している。
【００４５】
まず、有効領域２の大きさについて、説明する。有効領域２の大きさは、有効領域２を含む画素１の面積に対する当該有効領域２の面積の比率である開口率によって定義する。つまり、開口率は、画素１の縦の幅の長さＸ１と、画素１の横の幅の長さＸ２と、有効領域２の縦の幅の長さＹ１と、有効領域２の横の幅の長さＹ２とを用いて、以下の式１で表される。
【００４６】
開口率＝（Ｙ１×Ｙ２）／（Ｘ１×Ｘ２）×１００                    （式１）
【００４７】
本願発明者らは、この開口率を変化させて実験を行った結果、ジャギーを低減し、高精細な画像を表示または撮像することができるのは、開口率が４０〜７０％であることが好ましいことを見出した。なお、ジャギーが低減できたか否かの確認は、複数の被験者に、開口率を変化させた画像を見せ、画像のきれいさを評価させるという実験により行った。
【００４８】
これは、開口率が４０％を下回ると、有効領域２から発せられる光の領域が小さ過ぎるために、ジャギーを十分に低減できず、画像のきれいさを損なうためと考えられる。また、開口率が７０％を上回ると、有効領域２から発せられる光の領域が大き過ぎるために、ジャギーを十分に低減できず、画像のきれいさを損なうためと考えられる。
【００４９】
例えば、Ｙ１がＸ１の７０％の長さであり、Ｙ２がＸ２の７０％の長さである場合、開口率は４９％であり、この場合、ジャギーを低減し、高精細な画像を表示または撮像することができた。また、Ｙ１がＸ１の８０％の長さであり、Ｙ２がＸ２の８０％の長さである場合、開口率は６４％であり、この場合、ジャギーを低減し、高精細な画像を表示または撮像することができた。
【００５０】
次に、有効領域２の位置について、説明する。有効領域２の位置は、縦方向及び横方向の変位率によって定義する。ここで、縦方向の変位率は、画素１の縦の幅の長さＸ１と、画素１の中心位置Ｐ１と有効領域２の中心位置Ｐ２との縦方向の距離Ａとを用いて、以下の式２で表される。また、横方向の変位率は、画素１の横の幅の長さＸ２と、中心位置Ｐ１と中心位置Ｐ２との横方向の距離Ｂとを用いて、以下の式３で表される。
【００５１】
縦方向の変位率＝Ａ／（Ｘ１／２）×１００                          （式２）
横方向の変位率＝Ｂ／（Ｘ２／２）×１００                          （式３）
【００５２】
本願発明者らは、この縦方向及び横方向の変位率を変化させて実験を行った結果、ジャギーを低減し、高精細な画像を表示または撮像することができるのは、縦方向及び横方向の変位率がともに１０〜４０％であることが好ましいことを見出した。なお、ジャギーが低減できたか否かの確認は、複数の被験者に、変位率を変化させた画像を見せ、画像のきれいさを評価させるという実験により行った。
【００５３】
つまり、有効領域２の中心位置Ｐ２と当該有効領域２を含む画素１の中心位置Ｐ１との縦方向の距離Ａ及び横方向の距離Ｂは、それぞれ当該画素１の縦方向の幅の長さＸ１及び横方向の幅の長さＸ２の５〜２０％であることが好ましい。
【００５４】
これは、変位率が１０％を下回ると、各画素１内の有効領域２が規則的な配置になり過ぎるために、ジャギーを十分に低減できず、画像のきれいさを損なうためと考えられる。また、変位率が４０％を上回ると、各画素１内の有効領域２が不規則な配置になり過ぎるために、ジャギーを十分に低減できず、画像のきれいさを損なうためと考えられる。
【００５５】
例えば、距離Ａが長さＸ１の５％であり、距離Ｂが長さＸ２の５％である場合、縦方向及び横方向の変位率はともに１０％であり、この場合、ジャギーを低減し、高精細な画像を表示または撮像することができた。また、距離Ａが長さＸ１の２０％であり、距離Ｂが長さＸ２の２０％である場合、縦方向及び横方向の変位率はともに４０％であり、この場合、ジャギーを低減し、高精細な画像を表示または撮像することができた。
【００５６】
なお、縦方向の変位率と横方向の変位率とは同じ値であるのが好ましいが、同じ値であることには限定されず、異なる値であってもよい。
【００５７】
また、本願発明者らは、映像装置が表示装置の場合、ジャギーを低減し、高精細な画像を表示するためには、開口率が小さいほど有効領域２が行う発光の輝度を大きくするのが好ましいことを見出した。なお、ジャギーが低減できたか否かの確認は、複数の被験者に、開口率及び輝度を変化させた画像を見せ、画像のきれいさを評価させるという実験により行った。
【００５８】
例えば、開口率を１／２に小さくした場合、明るさは約２５％減少した。この場合、有効領域２が行う発光の輝度を大きくすることで、ジャギーを低減し、高精細な画像を表示することができた。つまり、開口率を小さくした場合、有効領域２が行う発光の輝度を大きくしなければ、明るさが減少するためにジャギーを十分に低減できず、画像のきれいさを損なうものと考えられる。
【００５９】
以上、図２の（ａ）に示された画素１内での有効領域２についての説明を行ったが、図２の（ｂ）〜（ｄ）に示された画素１内での有効領域２についても、図３で説明した有効領域２と同じ大きさ及び明るさであり、図２で説明した位置に配置されるので、詳細な説明は省略する。
【００６０】
次に、本発明の効果を説明する。
【００６１】
図４は、本実施の形態に係る映像装置が表示する画像と、従来の映像装置が表示する画像とを示す図である。具体的には、同図の（ａ）は、画素内の同一箇所に有効領域を配置した従来の映像装置が表示する画像を示す図であり、同図の（ｂ）は、図２に示すような４種類の画素の配置順序を乱数で決定した本実施の形態に係る映像装置が表示する画像を示す図である。
【００６２】
図４の（ａ）に示すように、従来の映像装置が表示する画像は、斜め線のエッジ部分などに階段状のジャギーが強く知覚される。一方、図４の（ｂ）に示すように、本実施の形態に係る映像装置が表示する画像は、図４の（ａ）に比べ、ジャギーが目立たない。すなわち、本実施の形態に係る映像装置は、ジャギーを低減し、高精細な画像を表示することができる。
【００６３】
図５は、図４の（ａ）の一部分の拡大図である。図５に示すように、直線端部の局所的な横方向の変化分をΔｘ、縦方向の変換分をΔｙとする。このとき、直線端部の局所的な傾きａは、Δｙ／Δｘで表される。図４の（ａ）に示すような規則的な画素配置によって表現された傾きの小さい直線では、この局所的な傾きａは、直線の傾きに応じて数画素ごとに０でない値をとる。すなわち、局所的な傾きａの、画像内での位置に対する変化のスペクトルには、変化の周期の長い低周波成分が強く存在し、これが人間の目には画像のジャギーとして強調されて知覚されることになる。
【００６４】
これに対し、本実施の形態に係る映像装置が表示する画像は、傾きａの周波数成分の分布が従来と比べ、均等になるので、ジャギーのような急激な傾きの変化が人間の目には知覚されにくくなる。
【００６５】
なお、本実施の形態に係る映像装置のような不規則な画素配置では、格子状の規則的な画素配置では完全な直線として表現される水平線や垂直線でも、微小なジャギーが現れることになる。しかし、画素の間隔は、例えば一般的な液晶ディスプレイで０．３ｍｍ程度である。この場合、ユーザがディスプレイを６０ｃｍの距離から眺める場合の視野角は約０．０３度となる。これは人間の目の限界分解能である０．０２度と同程度であるため、この微小なジャギーは人間の目には知覚されにくく、画像の精細さに対する影響は微小である。
【００６６】
以上により、本実施の形態に係る映像装置によれば、有効領域２は、画素１内での予め定められた複数の位置のいずれかにランダムに配置され、当該有効領域２の面積は画素１の面積の４０〜７０％である。つまり、有効領域２を各画素１内にランダムに配置することで、本発明に係る映像装置が表示する直線等において、傾きの変化の周波数成分の分布が従来と比べ均等になる。さらに、有効領域２の面積を画素１の面積の４０〜７０％とすることで、従来の映像装置で生じていたジャギーなどの傾きの変化が人間の目には知覚されにくくなる。よって、本発明に係る映像装置は、ジャギーを低減し、高精細な画像を表示または撮像することができる。また、本発明に係る映像装置は、所定の面積の有効領域２をランダムに配置することで実現できるので、画素１数を増加させることなく高精細な画像を表示または撮像することができる。
【００６７】
また、有効領域２は、画素１の中心位置から縦方向及び横方向に、それぞれ画素１の幅の５〜２０％離れた位置に配置される。つまり、この位置に有効領域２を配置することにより、従来の映像装置で生じていたジャギーなどの傾きの変化が人間の目には知覚されにくくなる。よって、本発明に係る映像装置は、ジャギーを低減し、高精細な画像を表示または撮像することができる。
【００６８】
また、有効領域２は、画素１内での４以上の位置のうちのいずれかにランダムに配置される。つまり、有効領域２の配置される位置を４以上とすることにより、従来の映像装置で生じていたジャギーなどの傾きの変化が人間の目には知覚されにくくなる。よって、本発明に係る映像装置は、ジャギーを低減し、高精細な画像を表示または撮像することができる。
【００６９】
また、映像装置が表示装置の場合、有効領域２からの光は、開口率が小さいほど明るい。つまり、開口率が小さいほど明るく発光させることで、従来の表示装置で生じていたジャギーなどの傾きの変化が人間の目には知覚されにくくなる。よって、本発明に係る表示装置は、ジャギーを低減し、高精細な画像を表示することができる。
【００７０】
また、本実施の形態に係る映像装置においては、有効領域２を含む画素１の面積に対する当該有効領域２の面積の比率である開口率を、４０〜７０％の数値と決定し、有効領域２の位置を、当該有効領域２を含む画素１内での予め定められた複数の配置位置からランダムに選択することで画素配置を形成する。よって、画素配置の設計において、乱数などにより画素をランダムに選択すればよく、設計が容易である。
【００７１】
以上、本発明に係る映像装置について、上記実施の形態を用いて説明したが、本発明は、これに限定されるものではない。
【００７２】
つまり、今回開示された実施の形態は全ての点で例示であって制限的なものではないと考えられるべきである。本発明の範囲は上記した説明ではなくて特許請求の範囲によって示され、特許請求の範囲と均等の意味及び範囲内での全ての変更が含まれることが意図される。
【００７３】
例えば、上記実施の形態において、主に表示装置として用いられる映像装置の場合を例に説明したが、本発明は、撮像装置にも適用することができる。
【００７４】
また、上記実施の形態において、有効領域２は四角形状であることとしたが、有効領域２は四角形状には限定されず、三角形状や円形状などどのような形状であってもよい。
【産業上の利用可能性】
【００７５】
本発明は、映像装置に適用でき、特に、ＣＣＤ（Charge Coupled Devices）カメラ及びＣＭＯＳ（Complementary Metal Oxide Semiconductor）イメージセンサ等の固体撮像装置に適用できる。また、本発明は、液晶ディスプレイ（ＬＣＤ：Liquid Crystal display）等の表示装置に適用できる。
【符号の説明】
【００７６】
１、１０１  画素
２、１０２  有効領域
３、１０３  周辺領域
【図１】
2012090015.tif 000003
【図２】
2012090015.tif 000004
【図３】
2012090015.tif 000005
【図５】
2012090015.tif 000006
【図６】
2012090015.tif 000007
【図４】
2012090015.tif 000008
【図７】
2012090015.tif 000009